(57)【特許請求の範囲】
【請求項１】
昇降路内を昇降する乗かごを備えたエレベーター装置において、
前記乗かごを構成する部材に開閉可能な蓋を設け、この蓋の裏側の空間を利用して非常用品収納部を形成し、
前記蓋に穴を形成すると共に前記穴を薄板で覆い、前記薄板を破壊して内部のロック解除ボタンを押圧することにより前記蓋の固定を解き、前記穴に手指をかけて前記蓋を開くことが可能となるように構成したことを特徴とするエレベーター装置。
【請求項２】
前記蓋は、乗かごを構成する前側壁であることを特徴とする請求項１記載のエレベーター装置。
【請求項３】
前記蓋は、乗かごを構成する側壁あるいは前側壁に形成した蓋であることを特徴とする請求項１記載のエレベーター装置。
【請求項４】
前記蓋は、乗かごを構成する床板に形成した蓋であることを特徴とする請求項１記載のエレベーター装置。
【発明の詳細な説明】
【技術分野】
【０００１】
本発明は乗客を搬送するエレベーター装置に係り、特に、非常時に乗客が乗かご内に閉じ込められたときに有用なエレベーター装置に関する。
【背景技術】
【０００２】
一般に、エレベーター装置は、地震や事故などで乗かごが中間階で停止した場合、乗客は自力で乗かご外へ避難することは難しく、外部から救出を待つしかないのが現状である。そして、同時に複数の建物で多数のエレベーター装置が緊急停止して多数の乗客が乗かご内に閉じ込められた場合には、救出に長時間を要し、これは乗客に取って非常に苦痛を伴うものである。
【０００３】
これらの状況を考慮し、乗かごの一角に簡易トイレを常設した構成が、例えば特許文献１に開示のように、既に提案されている。
【先行技術文献】
【特許文献】
【０００４】
【特許文献１】特開２００６−２５６８７０号公報
【発明の概要】
【発明が解決しようとする課題】
【０００５】
上記特許文献１に開示の簡易トイレは、乗かご内の一角に常設されているので、通常時には邪魔になるばかりか、乗客定員数を減らす問題があった。
【０００６】
本発明の目的は、乗客定員数を減らすことなく非常用品を乗かごに備えることができるエレベーター装置を提供することにある。
【課題を解決するための手段】
【０００７】
本発明は上記目的を達成するために、乗かごを構成する部材に乗かご内から開閉可能な蓋を設け、この蓋の裏側の空間を利用して非常用品収納部を形成したのである。そして、蓋に穴を形成すると共にこの穴を薄板で覆い、薄板を破壊して内部のロック解除ボタンを押圧することにより蓋の固定を解き、穴に手指をかけて蓋を開くことが可能となるように構成したのである。
【０００８】
このように構成することで、通常時には乗客定員数を減らすことなく乗客を乗り込ませることができると共に、非常時に乗かご内に閉じ込められた場合には、蓋を開けてその裏側の非常用品収納部に収納した非常用品、例えば、簡易トイレや非常食等を利用できるので、乗客の苦痛を和らげることができる。
【発明の効果】
【０００９】
以上説明したように本発明によれば、乗客定員数を減らすことなく非常用品を乗かごに備えることができるエレベーター装置を得ることができる。
【図面の簡単な説明】
【００１０】
【図１】本発明によるエレベーター装置の第１の実施の形態を示す乗かご内から出入り口を見た図。
【図２】図１の平面図。
【図３】非常時の様子を示す図１相当図。
【図４】本発明によるエレベーター装置の第１の実施の形態の変形例を示す図２相当図。
【図５】本発明によるエレベーター装置の第２の実施の形態を示す乗かご内の平面図。
【図６】図５のＡ−Ａ線に沿う拡大断面図。
【発明を実施するための形態】
【００１１】
以下本発明によるエレベーター装置の第１の実施の形態を図１〜図３に基づいて説明する。
【００１２】
乗かご１は、かご床２の周縁に立設され３方を連続して覆う板材で形成された側壁３と、連続した側壁３の両端部に立設され板材で形成された左右の前側壁４Ａ，４Ｂと、これら側壁３と前側壁４Ａ，４Ｂの上端を覆う天井板５と、前記左右の前側壁４Ａ，４Ｂ間を開閉するかごドア６Ａ，６Ｂとで形成されている。そして、前側壁４Ａ，４Ｂのいずれか一方側には、行き先階を登録するボタンやドア開閉ボタン、さらには外部への非常通報装置や放送装置などを集約した操作盤７が設けられている。
【００１３】
本実施の形態においては、前側壁４Ａ，４Ｂの操作盤７が設けられていない前側壁４Ａと隣接する側壁３との間を蝶番Ｈでつないで開閉できるように構成している。このように構成することで、前側壁４Ａが、本発明による乗かごを構成する板材に乗かご内から開閉可能な蓋となる。そして、この前側壁４Ａの裏側に非常用品収納部８を一体に形成したのである。この非常用品収納部８には、市販の簡易トイレ及び飲料水や非常食、さらには救急セット等の非常用品が収納されている。
【００１４】
このように乗かご１の前側壁４Ａの裏側を利用して非常用品を収納できるので、乗かご１の通常運転時には、前側壁４Ａを閉じておけば、乗客の乗り込みに障害となる物はなく、したがって、非常用品を収納しても乗客定員数を減らすような不都合はなくなる。
【００１５】
一方、非常時に乗かご１が中間階で停止した場合には、操作盤７にある非常通報装置により外部の防災センターや保守会社に通報することで救出に要する時間を知ることができると共に、救出に要する時間が長時間となる場合には、例えば、前側壁４Ａ上方に表示した「非常時の行動」等にしたがって、図２及び図３に示す破線矢印方向に前側壁４Ａを開いて２点鎖線の前側壁４の位置まで開けることで、その背面側に支持させた非常用品収納部８が乗かご１内に面するので、そこから飲料水や非常食を取り出して利用することで、救出までの飢えをしのぐことができる。さらに、用を足したい場合には、簡易トイレを取り出して用をたすことができる。
【００１６】
尚、通常時においても簡単に前側壁４Ａを開くことができる場合には、悪戯が発生しやすくなる。そのような場合には、蓋である前側壁４Ａに穴４Ｈを形成し、この穴４Ｈを、火災報知機のように、手指を押し付けることで容易に破壊できる薄板で覆っておき、乗かご１に閉じ込められたとき、薄板を破壊して内部のロック解除ボタン（図示せず）を押圧することで、前側壁４Ａの固定を解き、前記穴４Ｈに手指をかけて手前に引いて開くことができるように構成することが望ましい。尚、前側壁４Ａには穴４Ｈのみを形成し、薄板で覆われたスイッチ３Ｓを前側壁４Ａの近傍に設けておき、薄板で覆われたスイッチを押圧することで、前側壁４Ａの固定を解き、前側壁４Ａの穴４Ｈに手指をかけて開くようにしてもよい。また、薄板で塞がれた手指用の穴４Ｈを前側壁４Ａに設けておき、乗かご１が途中階に停止したことを条件に前側壁４Ａの固定が解かれるように構成しておけば、乗かご内に閉じ込められたとき、薄板を破壊してその穴４Ｈに手指を挿入して前側壁４Ａを開くこともできる。
【００１７】
このほか、悪戯による蓋である前側壁４Ａの開放を防止するために、通常運行時に蓋を開けると警報装置である防犯ブザーや音声による注意喚起の音声が作動するように構成してもよい。
【００１８】
以上の実施の形態においては、前側壁４Ａと隣接する側壁３との間を蝶番Ｈでつないで開閉できるように構成したが、この構成で簡易トイレを利用しようとすると、遮るものが何もないので、乗客が一人でない場合には簡易トイレを利用しづらい。
【００１９】
そのような場合には、図４に示す変形例のように、前側壁４Ａのかごドア６Ａ側端を蝶番Ｈで固定部材、例えば図示を省略したが３方枠に連結することで、開いた前側壁４Ａが遮蔽壁となるので、開いた前側壁４Ａと側壁３との間に形成された空間を利用して簡易トイレを利用することができる。さらに、カーテンなどを常用品収納部８に収納しておけば、このカーテン利用して残る空間を塞ぐことができる。
【００２０】
以上の実施の形態とその変形例は、前側壁４Ａそのものを開閉するように構成したものであるが、例えば図１の２点鎖線で示すように、前側壁４Ａや側壁３の一部に開閉あるいは着脱可能な蓋４Ｃ，３Ｃを設け、その裏側の空間を利用して第１の実施の形態と同じような非常用品収納部８を設けるようにしてもよい。尚、上述のようなロック解除ボタンを設けておくことで、悪戯により蓋４Ｃ，３Ｃが容易に開けられないようにしておく必要がある。
【００２１】
次に、本発明によるエレベーター装置の第２の実施の形態を図５及び図６に基づいて説明する。
【００２２】
前記実施の形態及びその変形例は、側壁３や前側壁４Ａを利用して、その背面側に非常用品収納部８を設けたものであるが、本実施の形態においては、かご床２の裏側空間（下方空間）を利用して非常用品収納部８を設けたものである。
【００２３】
具体的には、かご床２は、平面的に四角に形成された床枠（図示せず）に、複数の床梁９Ａ，９Ｂ，９Ｃを間隔をあけて設置し、これら床梁９Ａ，９Ｂ，９Ｃ上に図示しない支持板を固定し、その上にかご床２を設置している。そして、これら床梁９Ａ，９Ｂ，９Ｃを備えた床枠は、側面から見て四角のかご枠（図示せず）の下梁１０Ｃ上に支持され、下梁１０Ｃの両端から上方に延在する縦梁１０Ａ，１０Ｂに連結されている。
【００２４】
このように構成されたかご床２において、隣接する床梁９Ａ−９Ｂ間に対向する位置の支持板を含めたかご床２に、開口部２Mを形成し、この開口部２Ｍを開閉する蓋床２Ｃを設け、この蓋床２Ｃの下方の空間を利用して、非常用品収納部８を設けたのである。
【００２５】
このように構成することで、長期に亘る乗かご１の停止時には、乗かご１内に表示した非常時の案内表示にしたがって、あるいは非常通報装置からの外部の防災センターや保守会社の指示にしたがって、蓋床２Ｃを開け、非常用品収納部８内の非常用品を利用することができる。
【００２６】
以上説明したように各実施の形態及びその変形例によれば、通常使用時には非常用品収納部８が乗かご１の外側を利用して設置されているので、乗かご１のかご床２の面積を狭めることなく、云い代えれば、乗客定員数を減らすことなく利用することができると共に、非常時に乗客が乗かご１内へ閉じ込められた場合には、乗かご１外へ通じる蓋（２Ｃ，３Ｃ，４Ａ，４Ｃ）を開くことで、非常用品収納部８を利用することができる。したがって、乗客定員数を減らすことなく非常用品を乗かごに備えることができるエレベーター装置を得ることができる。
【符号の説明】
【００２７】
１…乗かご、２…かご床、２Ｃ…蓋床、２Ｍ…開口部、３…側壁、３Ｓ…スイッチ、４Ａ，４Ｂ…前側壁、４Ｈ…穴、５…天井板、６Ａ，６Ｂ…かごドア、７…操作盤、８…非常用品収納部、９Ａ，９Ｂ，９Ｃ…床梁、１０Ａ，１０Ｂ…縦梁、１０Ｃ…下梁。
【図１】
0005441858.tif 000002
【図２】
0005441858.tif 000003
【図３】
0005441858.tif 000004
【図４】
0005441858.tif 000005
【図５】
0005441858.tif 000006
【図６】
0005441858.tif 000007